(57)【特許請求の範囲】
【請求項１】
すくなくとも時計体基枠と、
前記時計体基枠に配置された電池と、
第１の外部操作部材と、
前記第１の外部操作部材により連動して動き、時計体基枠上にセットされる導電性の第１部材と、
第２の外部操作部材と、前記第２の外部操作部材により連動して動き、時計体基枠上にセットされる導電性の第２部材と、
前記第１部材と前記第２部材が前記時計体基枠上にセットされるときの案内となる共通の位置決め部と、
前記電池の正極と前記位置決め部との電気的導通を行うための導通部を備えた回路押え板と、
を有することを特徴とする時計。
【請求項２】
請求項１において、前記第１部材と前記第２部材は平面的に重なって配置されていることを特徴とする時計。
【請求項３】
請求項１または２において、前記位置決め部に案内される前記第１部材は、前記位置決め部を回転軸として回転する部材であり、前記位置決め部に案内される前記第２部材は、前記位置決め部に摺動しながら動く部材であることを特徴とする時計。
【請求項４】
請求項１〜３のいずれか１項において、前記位置決め部を多機能時計に適用することを特徴とする時計。
【発明の詳細な説明】
【０００１】
【発明の属する技術分野】
本発明は、時計体の構成で、外部操作部材により連動して動く複数の部材の位置決め構造に関する。
【０００２】
【従来の技術】
従来、クロノグラフなどの多機能時計において、外部操作部材に連動して動く部材の位置決め部は、それぞれの部材に対して位置決めが行われていた。そのため前記位置決め部にガイドされる部品を配置するとき、それぞれの位置決め部材を重ねて配置することができないため、時計体の外形が大きくなるという弊害が発生していた。
【０００３】
ゆえに、時計の多機能化が進んで、外部操作部材により連動して動く部材が多くなると、それぞれの部材に対して位置決め部を独立して配置するため、時計体を構成する部品数が多くなり、時計の外形サイズも大きくなってしまうので、携帯しずらくなってしまった。
【０００４】
【発明が解決しようとする課題】
しかし前記の従来技術では、外部操作部材により連動して動く複数の部材の位置決め部を独立して配置するため、レイアウト上の制約が発生し時計体の大きさや厚みの増大、部品点数の増加により時計体の構造の複雑化等の問題を有している。その製造に当たっては部品数増加による製造コストの増大、また製造から組み立てまでの部品管理においても煩雑になり、さらに組み立て過程でも組み立て時間の増大及びそれに伴うコストアップが考えられる。
【０００５】
そこで本発明の目的は、構造を簡略化し、従来の機能を維持しながら省スペース化でき、部品数減少によるコストダウン効果をもたらす時計を提供することにある。
【０００６】
【課題を解決するための手段】
上記目的を達成するために、本発明の時計は、すくなくとも時計体基枠と、
前記時計体基枠に配置された電池と、第１の外部操作部材と、前記第１の外部操作部材により連動して動き、時計体基枠上にセットされる導電性の第１部材と、
第２の外部操作部材と、前記第２の外部操作部材により連動して動き、時計体基枠上にセットされる導電性の第２部材と、前記第１部材と前記第２部材が前記時計体基枠上にセットするときの案内となる共通の位置決め部と、前記電池の正極と前記位置決め部との電気的導通を行うための導通部を備えた回路押え板と、を有することを特徴とする。
【０００７】
したがって、本発明においては、外部操作部材により連動して動く複数の部材の位置決め部を共有することで、時計体基枠上の位置決め部を減らすことができ、構造の簡略化が図れる。さらにその製造にあたっては部品数減少による製造コストの低減、また製造から組み立てまでの部品管理においても煩雑さが減り、さらに組み立て過程でも組み立て時間の低減及びそれに伴うコストダウンが可能になる。電子時計においては、第１操作部材と第２操作部材に必要な回路押え板からの電気導通経路を共通の位置決め部に設けることよって、電気導通経路も共用することができるため、スイッチ回路も小さくできるので、構造の複雑化を防止することができる。
【０００８】
本発明の時計においては、前記第１部材と前記第２部材は平面的に重なって配置されていることが好ましい。したがって、時計の平面的なスペースが小さくなって、時計全体も小さくでき、多機能時計の携帯性が向上する。また、外観上の見栄えもすっきりしたものとなる。
【０００９】
また、本発明の時計においては、前記時計体基枠は地板である事が好ましい。したがって、ムーブメントとして組み立て、メンテナンスすることが可能となり、作業性の向上が図れる。また別に外装部品としてケースを作ることができるため、商品のバリエーションを増やすことができる。
【００１０】
このような時計においては、前記位置決め部は、前記時計体基枠に一体形成される事が好ましい。したがって、部品数減少による製造コストの低減、また製造から組み立てまでの部品管理においても煩雑さが減り、組み立て過程でも組み立て時間の低減及びそれに伴うコストダウンが可能である。
【００１１】
またそのような時計においては、前記位置決め部は、前記時計体基枠に打ち込まれ締め代により固定される部材であることが好ましい。したがって、位置決め部の強度を上げることができ、ガイドする部材からの側圧がかかる場合などに有効である。
【００１２】
一方、本発明の時計では、前記時計体基枠は合成樹脂により成形されている事が好ましい。したがって、材料が安く加工が容易であるため、さらにコストダウンが可能である。
【００１３】
またそのような時計においては、前記時計体基枠は、金属により成形されている事が好ましい。したがって、外観を良くするとともに、強度、耐静電気性といった機械的・電気的特性を向上させることができる。
【００１４】
また、本発明の時計では、前記位置決め部材は、金属により構成されている事が好ましい。したがって、位置決め部の強度を上げることができる。
【００１５】
そのような時計においては、前記位置決め部材の表面は、メッキが施されていることが好ましい。したがって、対摩耗性を向上させることが可能であり、案内される部材が位置決め部に対して摺動するような場合などに有効である。
【００１６】
また、本発明の時計においては、前記位置決め部に案内される前記第１部材と前記第２部材は、位置決め部を回転軸として回転する部材であることが好ましい。
【００１７】
またそのような時計においては、前記位置決め部に案内される前記第１部材と前記第２部材は、位置決め部に摺動しながら動く部材であることが好ましい。
【００１８】
またそのような時計においては、前記位置決め部に案内される前記第１部材は、位置決め部を回転軸として回転する部材であり、位置決め部に案内される前記第２部材は、位置決め部に摺動しながら動く部材であることが好ましい。
【００１９】
またそのような時計においては、前記位置決め部に案内される前記第１部材は、前記位置決め部に摺動しながら動く部材であり、位置決め部に案内される前記第２部材は、位置決め部を回転軸として回転する部材であることが好ましい。
【００２０】
また、本発明の時計においては、前記第１部材と前記第２部材は前記位置決め部とは別にもう一ヶ所位置決め部により案内されることが好ましい。したがって、これらの部材は２つの案内部にガイドされることで正確に動くことが可能になる。
【００２１】
また、本発明の時計では、前記第１部材と前記第２部材は、ばね部材である事が好ましい。ばね部材はばね部を有するので平面的に大きい部材であるが、複数のばね部材の位置決め部を共用し平面的に重ねて配置することで、時計体の大きさの増大を防ぎ、省スペース化を図ることが可能である。
【００２２】
また、本発明の時計では、前記位置決め部を多機能時計に適用することを特徴とする。したがって、構造が複雑で時計の外形が大きくなってしまうクロノグラフなどの多機能時計においては、時計体の外周に配置される外部操作部材と連動して動く第１部材、第２部材を効率よく配置する事ができるようになり、時計体の小型化への効果は大きい。
【００２３】
【発明の実施の形態】
以下、本発明の実施の一形態を図面に基づいて説明する。
【００２４】
図１には、本実施形態に係る時計１が示されている。この時計１は、後述する部品が設けられたムーブメント１Aをケース２８の内部に収納したものであり、ムーブメント１Aで時刻等を示す複数の指針２１〜２７を駆動するアナログ式のものである。
【００２５】
図２は、本実施形態に関わる時計の概略を示す平面図、図３は、その要部の平面図、図４は、その要部の断面図である。
【００２６】
図１において、時計１は、通常時刻表示を行う通常時刻表示用指針としての時針２１、分針２２、小秒針２３を備えている。小秒針２３は、時計１の中心軸に対し文字盤２０の９時方向にずれた位置に配置されている。
【００２７】
さらに、時計１には、外部操作部材である竜頭３、２時位置のボタン３Aおよび４時位置のボタン３Bが設けられている。
【００２８】
このうち、竜頭３は、当該竜頭３とともに外部操作部材を形成する巻真４３に固定されている。このうち、巻真４３はケース２８の内部に挿通されている。
【００２９】
この時計１には、付加機能として、経過時間を表示するクロノグラフ機能と、設定した時刻にアラームを鳴音させるアラーム機能とが設けられている。
【００３０】
すなわち、時計１には、付加機能表示用指針として、前記時針２１、分針２２と同軸上に配置され、１／５秒刻みのクロノグラフ秒表示を行う１／５秒クロノグラフ針（以下「１／５秒CG針」という）２４と、時計１の中心軸に対し１２時方向にずれた位置に配置ざれ、１分刻みのクロノグラフ分表示を行う分CG針（以下「分CG針」という）２５とが設けられている。
【００３１】
また、時計１には、付加機能表示用指針として、時計１の中心軸に対し６時方向にずれた位置に配置されたアラーム時針２６およびアラーム分針２７が設けられている。
【００３２】
図２において、ムーブメント１Aには、各指針２１〜２７を駆動するために、４つのステップモータ５〜８が設けられている。
【００３３】
すなわち、前記時針２１、分針２２および小秒針２３は、通常時刻駆動用ステップモータ５で駆動され、１／５秒CG針は、１／５秒クロノグラフ用ステップモータ６で駆動され、分CG針２５は、分クロノグラフ用ステップモータ７で駆動され、アラーム分針２７およびこれに連動するアラーム時針２６は、アラーム用ステップモータ８で駆動される。
【００３４】
したがって、モータ５により通常時刻駆動用モータが構成され、モータ６〜８により付加機能駆動用モータが構成されている。
【００３５】
各ステップモータ５〜８は、回転磁界により回転駆動されるロータ１３と、このロータ１３が配置されるステータ孔を有するステータ１４と、このステータ１４の端部が接続されるとともに、コイル１５が巻回されるコア１６とを備えている。
【００３６】
各ロータ１３は、樹脂に磁石をインサート成形することで形成され、ロータかなおよび異方性磁石からなるロータ磁石を備えて構成されている。このロータ１３は、その両端部に突出するほぞ部分で地板２および図示しない輪列受に支持されている。なお、各ロータ１３は、内蔵電池１８で作動されるIC９１からの駆動パルスを、コイル１５に流すことによって所定の回転周期で回転する。
【００３７】
通常時刻駆動用ステップモータ５のロータ１３には、輪列５０を構成する五番車５４が噛み合っており、これにより、ロータ１３の回転が輪列５０に伝達されるようになっている。
【００３８】
つまり、前記ロータ１３の回転は、五番車５４、四番車５３、三番車５２、二番車５１、日の裏車５６、筒車（図示略）からなる輪列５０を介して減速されて伝達される。この伝達された回転によって、二番車５１に嵌装されている分針２２および筒車に嵌装されている時針２１が駆動されているようになっている。
【００３９】
一方、ロータ１３の回転は、五番車５４を介して小秒車５５にも減速されて伝達され、これにより、当該小秒車５５に取り付けられている秒針２３が駆動されるようになっている。
【００４０】
また、１／５秒クロノグラフ用ステップモータ６のロータ１３には、輪列６０を構成する１／５秒クロノグラフ第１中間車６１が噛み合っており、これにより、ロータ１３の回転が輪列６０に伝達されるようになっている。
【００４１】
つまり、このロータ１３の回転は、１／５秒クロノグラフ第１中間車６１、１／５秒クロノグラフ第２中間車６２、および、秒クロノグラフ車６３からなる輪列６０に減速されて伝達される。この伝達された回転によって、１／５秒クロノグラフ車６３に嵌装されている１／５秒CG針２４が駆動するようになっている。この１／５秒CG針２４は、６０秒で一回転するように設定されている。
【００４２】
ここで、１／５秒クロノグラフ車２４は、筒車、二番車と同軸配置されている。そして、時針２１、分針２２および１／５秒CG針２４は、同軸配置されている。
【００４３】
さらに、分クロノグラフ用ステップモータ７のロータ１３には、輪列７０を構成する分クロノグラフ中間車７１が噛み合っており、これにより、ロータ１３の回転が輪列７０に伝達されるようになっている。
【００４４】
つまり、このロータ１３の回転は、分クロノグラフ中間車７１および分クロノグラフ車７２からなる輪列７０に減速されて伝達される。この伝達された回転によって、分クロノグラフ車７２に嵌装されている分CG針２５が駆動するようになっている。
【００４５】
アラーム用ステップモータ８のロータ１３には、輪列８０を構成するアラーム中間車８１が噛み合っており、これにより、ロータ１３の回転が輪列８０に伝達されるようになっている。
【００４６】
つまり、このロータ１３の回転は、アラーム中間車８１およびアラーム分車８２、アラーム日の裏車８３、アラーム筒車（図示略）からなる輪列８０に減速されて伝達される。この伝達された回転によって、アラーム時針２６、アラーム分針２７が駆動されるようになっている。
【００４７】
ここで、前記各輪列５０〜８０は内側領域に配置され、時計１の平面形状に応じた形状に形成された時計体基枠としての地板２に支持されている。
【００４８】
なお、時計体基枠としては、地板２に限らず、ケースや回路受け座、輪列受であってもよい。また材質は、金属でも合成樹脂等であってもよい。
【００４９】
外周領域には、電気素子であるC-MOS構造の小型IC９１、水晶振動子９２、電池保護用コンデンサ９３、アラーム用昇圧コイル９４、および、アラーム用トランジスタ９５が配置されている。これらの各電子素子は、図示しないフレキシブルプリント基板１２０に装着されている。
【００５０】
さらに、外周領域には、前記２時位置のボタン３A、４時位置のボタン３Bによって作動されるスイッチレバー４１、４２、巻真４３と係合するクリックレバーとしてのおしどり４５、および、かんぬき４６が配置されている。なお、おしどり４５は、巻真４３の摺動操作により回転されるものであり、かんぬき４６はおしどり４５の回転運動により回転されるものである。そして、巻真４３にはつづみ車、小鉄車などの調節用の歯車が設けられている。
【００５１】
図３において、スイッチレバー４２は時計体基枠である地板２上に設けられた位置決め部２Bによってばね部が案内されて、地板２に打ち込まれ締め代により固定された位置決め部２Aによって回転運動の中心として案内されることで、２ヶ所により案内されて配置されている。
【００５２】
さらに、かんぬき４６は地板２上に設けられた位置決め部２Cを回転運動の中心とし、地板２に打ち込まれ締め代により固定された位置決め部２Aによってばね部が案内されることで、２ヶ所により案内されて配置されている。
【００５３】
そしてスイッチレバー４２とかんぬき４６は一ヶ所を共通の位置決め部２Aにより案内されているため、平面位置が重なるように配置されている。
【００５４】
このとき、外部操作部材としては、クロノグラフなどの多機能時計においては外部操作部材が多数配置されるため、複数の押しボタンや、複数の巻真であってもよい。
【００５５】
また、共通の位置決め部２Aに案内される部材はスイッチレバー４２とかんぬき４６に限らず、また外部操作部材とは直接連動していても、間に異なる部材を介してもよい。
【００５６】
さらに、位置決め部２Aは地板２に打ち込まれ締め代により固定されている必要はなく、例えば地板２を金属製とした場合は、地板２を製作する際の板材を削り残して位置決め部２Aに相当する形状を地板２にあらかじめ一体に設けてもよく、地板２を合成樹脂製とした場合には、成形用の型を工夫して位置決め部２Aに相当する形状を地板２から突出させて地板２と予め一体に成形してもよい。そして、位置決め部２Aが金属製である場合には、ニッケルメッキとクロムメッキ硬化処理を施すことで、摩耗性を向上させてもよく、金メッキを施して電気導通性を向上させてもよい。
【００５７】
また、共通の位置決め部２Aに案内される部材は２つに限らず多数であってもよい。また共通の位置決め部２Aに案内される部材は、位置決め部２Aを表裏に貫通して設け、異なる面に配置してもよい。
【００５８】
図２において、電池１８は、その平面における大部分が時計体の外周領域に位置するように配置されている。具体的には、電池１８は、外周領域において巻真４３およびステップモータ７で囲まれたスペースに配置されている。
【００５９】
さらに、巻真４３を挟んで電池１８の反対側であって、外周領域において巻真４３およびステップモータ８で囲まれたスペースに、IC９１、かんぬき４６、スイッチレバー４２が配置されている。このため、IC９１は、スイッチレバー４２やかんぬき４６に平面位置が重なるように配置されている。
【００６０】
各ステップモータ５〜８のうち、通常時刻駆動用ステップモータ５と、１／５秒クロノグラフ用ステップモータ６とは、地板２上において、巻真４３の反対側の端部側（文字板２０における９時位置）に配置されている。
【００６１】
そして、これらの各モータ５、６は、その各コア１６の延長線の交差角度が約６０度程度となるような向きに配置されている。すなわち、各ステップモータ５、６は、一端側を地板２の外周端に近接して配置し、他端側を地板２の外周端から内側に離れて配置している。
【００６２】
また、各ステップモータ５〜８のうち、分クロノグラフ用ステップモータ７およびアラーム用ステップモータ８は、駆動する指針２５〜２７が他の指針２１、２２に比べて短く、ステップモータ５、６に比べて出力トルクが小さくてよいため、コイル１５の巻数を少なくでき、コア１６の長さも短くされている。
【００６３】
この長さ寸法の短い各ステップモータ７、８は、前記電池１８やIC９１にほぼ隣接して配置されており、文字板２０において１２時および６時位置に、かつ地板２の外周端に沿って配置されている。したがって、各ステップモータ５〜８は、３時−９時を結ぶ線を挟んでほぼ上下対称に配置されている。
【００６４】
各ステップモータ５〜８がこのように配置されているため、ステップモータ５の外周側およびステップモータ６の外周側にスペースが確保されている。このうち、一方のスペースに、水晶振動子９２および電池保護用コンデンサ９３が配置され、他方のスペースに、アラーム昇圧コイル９４およびアラーム用トランジスタ９５が分散配置されている。
【００６５】
図４において、このようなムーブメント１Aには、電子回路の各部品の位置を保持するために、ステンレス鋼等の導電性部材からなる回路押え板１００が設けられている。
【００６６】
回路押え板１００は、IC９１の静電遮蔽材、IC９１に紫外線および赤外線が照射されないようにする遮光機能、モータ５〜８の耐磁シールド機能、および、電子回路の回路ブロックを保持する保持機能を兼用している。
【００６７】
なお、回路押え板１００には、電池１８の正極が接続され、ムーブメント１Aの電子回路に対して、電池１８の正極が基準電圧となるグランドとなっている。
【００６８】
また、回路押え板１００は、ムーブメント１Aの組み立て作業時に、ムーブメント１Aを構成する部品を仮固定するための治具としての機能も備えている。
【００６９】
金属などの導電性部材からなるスイッチレバー４２は、断面的に曲げ上げたばね部４２Aを有している。また、金属などの導電性部材からなるかんぬき４６は、断面的に曲げ上げたばね部４６Aを有している。スイッチレバー４２及びかんぬき４６は、導電性を向上させるため、その表面に金メッキなどが施されていることが好ましい。そして、それぞれ係合している外部操作部材が操作されることで作動して、ばね部４２A、４６Aがフレキシブルプリント基板１２０と接触することで、電子回路に外部操作部材の操作が電気信号として伝達される。このときスイッチレバー４２とかんぬき４６の共通の位置決め部２Aには、回路押え板１００に一体成形されている導通部１１０の先端部１１０Aが、その弾性力により十分に強く接触されている。そのため、電子回路には、グランドからの基準電圧が電気信号として伝達される。そのためスイッチレバー４２とかんぬき４６の共通の位置決め部２Aは、共通の導通部としての機能も有している。スイッチレバー４２とかんぬき４６は、位置決め部２Aに組み込まれた後、回路押え板１００によって仮固定され、電池１８の正極と同電位となる。
【００７０】
このときフレキシブルプリント基板１２０と接触するばね部４２A、４６Aがばね性を有していることで、フレキシブルプリント基板１２０、スイッチレバー４１、スイッチレバー４２やかんぬき４６の変形や破壊、それに伴う機能不良を防止することができる。また、前述のばね性を有していることで、使用者が意図としない不意な入力不良を防止し、それにともなう電源の電力浪費を防止することができる。
【００７１】
なお、本発明では、電子的に動作されるクロノグラフについて説明したが、ぜんまいを駆動力として作動する機械式のクロノグラフであってもよい。また、クロノグラフ以外のタイマー、万年カレンダー、アラーム表示、ワールドタイムなどの時間情報を表示するほか、温度、圧力、湿度などセンサを用いて物理量を測定する多機能時計や、指針によるアナログ表示と液晶によるデジタル時計を組み合わせた多機能時計に用いてもよい。
【００７２】
前述のような本実施形態によれば、次のような効果が得られる。
【００７３】
すなわち、スイッチレバー４２とかんぬき４６は、外部操作部材である竜頭３、ボタン３Bと連動して動くため、時計の外周部に配置されるが、共通の位置決め部で案内することにより、平面的に重ねて配置することができるため、時計の平面的なスペースが小さくなって、時計全体も小さくでき、多機能時計の携帯性が向上する。また、外観上の見栄えもすっきりしたものとなる。
【００７４】
また、スイッチレバー４２とかんぬき４６は、位置決め部２Aを共用して案内されるため、位置決め用のピン類の数を減らすことができ、位置決め部となるピンを基枠に打ち込むことに伴う基枠自体のソリやねじれを防げるので、指針止まりなどが発生しにくい信頼性の高い時計を作ることができる。
【００７５】
さらに、位置決め部の部品数を削減することによって、構造の複雑化を防止することができる。ひいては製造から組み立てまでの部品管理における煩雑さを減らし、組み立て過程でも、組み立て時間を短縮することができ、コストダウン効果をもたらすことができる。
【００７６】
さらに、電子時計においては、スイッチレバー４２とかんぬき４６に必要な回路押え板１００からの電気導通経路を共通の位置決め部２Aに設けることよって、電気導通経路も共用することができるため、スイッチ回路も小さくできるので、構造の複雑化を防止することができる。
【００７７】
【発明の効果】
以上に述べたように、本発明によれば、時計体の外形が大きくなることを防ぎ、時計の省スペース化が図れる。そして、製造から組立までの部品管理における煩雑さを減らし、組立時間を短縮することができ、コストダウン効果をもたらすことができる。
【図面の簡単な説明】
【図１】本発明の実施の一形態に係る時計を示す。
【図２】本発明の実施の一形態に係る時計の外部操作部材の配置を示す平面図である。
【図３】前記実施形態の要部を示す平面図である。
【図４】前記実施形態の要部を示す断面図である。
【符号の説明】
１…時計
１A…ムーブメント
２…時計体基枠としての地板
２A…時計対基枠上の共される案内部
３…外部操作部材を形成する竜頭
３B…外部操作部材である４時位置のボタン
４２…スイッチレバー
４３…外部操作部材
４５…おしどり
４６…かんぬき
【図１】
0003685127.tif 000002
【図２】
0003685127.tif 000003
【図３】
0003685127.tif 000004
【図４】
0003685127.tif 000005